(57)【特許請求の範囲】
【請求項１】
正面に対峙することで操作可能な操作部を備え、前記操作部の操作に基づいて稼動して予め定められた処理を実行する処理装置本体における、予め定められた位置に設けられ、検出領域が基本位置とされているとき、前記操作部に対峙するまで接近してくる移動中の使用者を検出する検出手段と、
前記処理装置本体に付加的に取り付け可能であり、前記基本位置とされた前記検出手段では、少なくとも前記使用者が対峙したことを検出できない位置に取り付けられる付加装置の種類情報、並びに取り付け位置情報を取得する付加装置情報取得手段と、
前記付加装置情報取得手段で取得した前記取り付け位置情報に基づいて、前記検出手段の検出領域を調整する検出領域調整手段と、
前記検出手段で検出された検出結果に基づいて、前記処理装置本体及び前記付加装置のへの電力供給を制御する制御手段と、
を有する電力供給制御装置。
【請求項２】
前記検出領域調整手段が、前記検出手段の検出領域の光軸を偏向する光軸偏向手段と、前記検出手段の検出距離を調整する検出距離調整手段とを備える請求項１記載の電力供給制御装置。
【請求項３】
前記検出手段が、相対的に広範囲の検出領域で移動体の進入を検出する焦電型センサ、相対的に狭範囲の検出領域で前記処理装置本体に接近する使用者の接近を検出する反射型センサを含み、前記検出領域調整手段による調整対象が、前記反射型センサである請求項１又は請求項２記載の電力供給制御装置。
【請求項４】
前記焦電型センサには常に電力が供給され、前記反射型センサは前記焦電型センサにより移動体の進入を検出した時点で電力が供給される請求項３記載の電力供給制御装置。
【請求項５】
前記請求項１〜請求項４の何れか１項記載の電力供給制御装置を備え、画像処理装置本体が、原稿画像から画像を読み取る画像読取部、画像情報に基づいて記録用紙に画像を形成する画像形成部、予め相互に定められた通信手順の下で画像を送信先へ送信するファクシミリ通信制御部、前記使用者から情報受付及び使用者への情報報知を行うユーザーインターフェイス部、の少なくとも１つを含み、
前記使用者からの指示に基づいて、相互に連携しあって画像処理を実行すると共に、前記付加装置が、前記画像処理装置本体を使用する使用者を認証する認証装置、前記画像処理装置本体による画像処理後に出力される記録用紙に加工を施す後処理装置の少なくとも一方を含む画像処理装置。
【請求項６】
コンピュータを、前記請求項１〜請求項４の電力供給制御装置として実行させる電力供給制御プログラム。
【発明の詳細な説明】
【技術分野】
【０００１】
本発明は、電力供給制御装置、画像処理装置、電力管理制御プログラムに関する。
【背景技術】
【０００２】
処理装置、例えば、画像処理装置では、低消費電力化を図るため、未使用時は不要な電力を供給しない省電力モードに移行する機能を有している。
【０００３】
特許文献１には、画像処理装置の不使用時の電力を軽減するための技術として、定着装置の使用からの予め定めた時間が経過すると自動的に節電状態に移行する第１のタイマと、複合装置の操作又は外部からアクセスされたときの動作終了からの所定時間が経過すると自動的に電源オフ状態に移行する第２のタイマと、を持って制御することが提案されている。
【０００４】
また、特許文献２には、複写機能、プリンタ機能及びファクシミリ機能のうち少なくとも２つの機能を備えた処理部を有し、選択された機能毎に処理部に対してオートシャット時間を設定可能とすることが提案されている。
【０００５】
処理装置には、ＩＣカードリーダーに代表されるセキュリティ認証機器が付加装置として付加される。また、画像処理装置では、画像処理後の記録用紙を対象として、パンチ穿孔処理や製本処理等を行うための後処理装置（フィニシャー装置）が付加される場合がある。
【先行技術文献】
【特許文献】
【０００６】
【特許文献１】特開２００３−１６３７６９号公報
【特許文献３】特開平０６−００６４９６号公報
【発明の概要】
【発明が解決しようとする課題】
【０００７】
本発明は、画一的な省電力制御に比べて、適宜の処理に適合した省電力制御を行うことができる電力供給制御装置、画像処理装置、電力管理制御プログラムを得ることが目的である。
【課題を解決するための手段】
【０００８】
請求項１に記載の発明は、正面に対峙することで操作可能な操作部を備え、前記操作部の操作に基づいて稼動して予め定められた処理を実行する処理装置本体における、予め定められた位置に設けられ、検出領域が基本位置とされているとき、前記操作部に対峙するまで接近してくる移動中の使用者を検出する検出手段と、前記処理装置本体に付加的に取り付け可能であり、前記基本位置とされた前記検出手段では、少なくとも前記使用者が対峙したことを検出できない位置に取り付けられる付加装置の種類情報、並びに取り付け位置情報を取得する付加装置情報取得手段と、前記付加装置情報取得手段で取得した前記取り付け位置情報に基づいて、前記検出手段の検出領域を調整する検出領域調整手段と、前記検出手段で検出された検出結果に基づいて、前記処理装置本体及び前記付加装置のへの電力供給を制御する制御手段と、を有している。
【０００９】
請求項２に記載の発明は、前記請求項１に記載の発明において、前記検出領域調整手段が、前記検出手段の検出領域の光軸を偏向する光軸偏向手段と、前記検出手段の検出距離を調整する検出距離調整手段とを備える。
【００１１】
請求項３に記載の発明は、前記請求項１又は請求項２発明において、前記検出手段が、相対的に広範囲の検出領域で移動体の進入を検出する焦電型センサ、相対的に狭範囲の検出領域で前記処理装置本体に接近する使用者の接近を検出する反射型センサを含み、前記検出領域調整手段による調整対象が、前記反射型センサである。
【００１２】
請求項４に記載の発明は、前記請求項３に記載の発明において、前記焦電型センサには常に電力が供給され、前記反射型センサは前記焦電型センサにより移動体の進入を検出した時点で電力が供給される。
【００１３】
請求項５に記載の発明は、前記請求項１〜請求項４の何れか１項記載の電力供給制御装置を備え、画像処理装置本体が、原稿画像から画像を読み取る画像読取部、画像情報に基づいて記録用紙に画像を形成する画像形成部、予め相互に定められた通信手順の下で画像を送信先へ送信するファクシミリ通信制御部、前記使用者から情報受付及び使用者への情報報知を行うユーザーインターフェイス部、の少なくとも１つを含み、前記使用者からの指示に基づいて、相互に連携しあって画像処理を実行すると共に、前記前記付加装置が、前記画像処理装置本体を使用する使用者を認証する認証装置、前記画像処理装置本体による画像処理後に出力される記録用紙に加工を施す後処理装置の少なくとも一方を含む画像処理装置である。
【００１４】
請求項６に記載の発明は、コンピュータを、前記請求項１〜請求項４の電力供給制御装置として実行させる電力供給制御プログラムである。
【発明の効果】
【００１５】
請求項１記載の発明によれば、画一的な省電力制御に比べて、適宜の処理に適合した省電力制御を行うことができる。
【００１６】
請求項２記載の発明によれば、検出手段の光軸を偏向することで検出角度を調整することができ、検出距離を調整することで検出感度を調整することができる。
【００１８】
請求項３記載の発明によれば、非接触で画像処理装置に接近する移動体、移動体の中から画像処理装置を使用する使用者を判別することができる。
【００１９】
請求項４に記載の発明によれば、本構成を有しない場合に比べて、省電力化を向上することができる。
【００２０】
請求項５に記載の発明によれば、画像処理装置本体での処理、付加装置の処理を含めた処理の流れを総合的に管理することで、画一的な省電力制御に比べて、適宜の処理に適合した省電力制御を行うことができる。
【００２１】
請求項６に記載の発明によれば、画一的な省電力制御に比べて、適宜の処理に適合した省電力制御を行うことができる。
【図面の簡単な説明】
【００２２】
【図１】第１の実施の形態に係る画像処理装置を含む通信回線網接続図である。
【図２】第１の実施の形態に係る画像処理装置の概略図である。
【図３】第１の実施の形態に係る画像処理装置の制御系の構成を示すブロック図である。
【図４】第１の実施の形態に係るメインコントローラと電源装置の制御系を機能別に概略図である。
【図５】画像処理装置における、各モード状態と、当該モード状態の移行の契機となる事象を示したタイミングチャートである。
【図６】第１の実施の形態に係り、画像処理装置及びその周辺示す平面図である。
【図７】第１の実施の形態に係り、画像処理装置及びその周辺示す斜視図である。
【図８】第１の実施の形態に係るピラー部前面に設けられたカバー部材の斜視図である。
【図９】図７の第２の人感センサ取付部周辺を上から見た断面図である。
【図１０】第１の実施の形態に係り、ＩＣカードリーダーの取付位置の違いによる使用者の接近移動軌跡を示す平面図である。
【図１１】第１の実施の形態に係り、ＵＩタッチパネルに表示される、第２の人感センサの手動調整画面の正面図である。
【図１２】第１の実施の形態に係り、メインコントローラで実行される、第２の人感センサの検出領域（向き、距離）調整制御のための機能ブロック図である。
【図１３】第１の実施の形態に係り、第２の人感センサの検出領域の調整（角度調整、検出距離調整）を自動的に行うための自動調整制御ルーチンを示すフローチャートである。
【図１４】第１の実施の形態に係り、第２の人感センサの検出領域の調整（角度調整、検出距離調整）を手動で行うための自動調整制御ルーチンを示すフローチャートである。
【図１５】第１の実施の形態の変形例に係り、フィニッシャー装置の取付位置の違いによる使用者の接近移動軌跡を示す平面図である。
【図１６】第２の実施の形態に係り、フィニッシャー装置を利用するジョブの下での使用者の移動軌跡を示す平面図である。
【図１７】第２の実施の形態に係り、第２の実施の形態に係る、第２の人感センサ３０の自動追従調整制御ルーチンを示すフローチャートである。
【発明を実施するための形態】
【００２３】
（第１の実施の形態）
図１に示される如く、第１の実施の形態に係る画像処理装置１０は、インターネット等のネットワーク通信回線網２０に接続されている。図１では、２台の画像処理装置１０が接続されているが、この数は限定されるものではなく、１台でもよいし、３台以上であってもよい。
【００２４】
また、このネットワーク通信回線網２０には、情報端末機器としての複数のＰＣ（パーソナルコンピュータ）２１が接続されている。図１では、２台のＰＣ２１が接続されているが、この数は限定されるものではなく、１台でもよいし、３台以上であってもよい。また、情報端末機器としては、ＰＣ２１に限定されるものではなく、さらには有線接続である必要もない。すなわち、無線によって情報を送受信する通信回線網であってもよい。
【００２５】
図１に示される如く、画像処理装置１０では、ＰＣ２１から当該画像処理装置１０に対して、遠隔で、例えばデータを転送して画像形成（プリント）指示操作を行なう場合、或いは使用者（ユーザー）が画像処理装置１０の前に立ち、各種操作によって、例えば、複写（コピー）、スキャン（画像読取）、ファクシミリ送受信等の処理を指示する場合がある。
【００２６】
図２には、第１の実施の形態に係る画像処理装置１０が示されている。
【００２７】
画像処理装置１０は、記録用紙に画像を形成する画像形成部２４０と、原稿画像を読み取る画像読取部２３８と、ファクシミリ通信制御回路２３６を備えている。画像処理装置１０は、メインコントローラ２００を備えており、画像形成部２４０、画像読取部２３８、ファクシミリ通信制御回路２３６を制御して、画像読取部２３８で読み取った原稿画像の画像データを一次的に記憶したり、読み取った画像データを画像形成部２４０又はファクシミリ通信制御回路２３６へ送出したりする。
【００２８】
メインコントローラ２００にはインターネット等のネットワーク通信回線網２０が接続され、ファクシミリ通信制御回路２３６には電話回線網２２が接続されている。メインコントローラ２００は、例えば、ネットワーク通信回線網２０を介してホストコンピュータと接続され、画像データを受信したり、ファクシミリ通信制御回路２３６を介して電話回線網２２を用いてファクシミリ受信及びファクシミリ送信を実行する役目を有している。
【００２９】
画像読取部２３８は、原稿を位置決めする原稿台と、原稿台に置かれた原稿の画像を走査して光を照射する走査駆動系と、走査駆動系の走査により反射又は透過する光を受光して電気信号に変換するＣＣＤ等の光電変換素子と、が設けられている。
【００３０】
画像形成部２４０は、感光体を備え、感光体の周囲には、感光体を一様に帯電する帯電装置と、画像データに基づいて光ビームを走査する走査露光部と、前記走査露光部によって走査露光されることで形成された静電潜像を現像する画像現像部と、現像化された感光体上の画像を記録用紙へ転写する転写部と、転写後の感光体の表面をクリーニングするクリーニング部と、が設けられている。また、記録用紙の搬送経路上には、転写後の記録用紙上の画像を定着する定着部を備えている。
【００３１】
画像処理装置１０には、入力電源線２４４の先端にコンセント２４５が取り付けられており、壁面Ｗまで配線された商用電源２４２の配線プレート２４３に、当該コンセント２４５を差し込むことで、画像処理装置１０は、商用電源２４２から、電力の供給を受けるようになっている。
【００３２】
（画像処理装置の制御系ハード構成）
図３は、画像処理装置１０の制御系のハード構成の概略図である。
【００３３】
ネットワーク回線網２０は、メインコントローラ２００に接続されている。メインコントローラ２００には、それぞれ、データバスやコントロールバス等のバス３３Ａ〜３３Ｄを介して、ファクシミリ通信制御回路２３６、画像読取部２３８、画像形成部２４０、ＵＩタッチパネル２１６が接続されている。すなわち、このメインコントローラ２００が主体となって、画像処理装置１０の各処理部が制御されるようになっている。なお、ＵＩタッチパネル２１６には、ＵＩタッチパネル用バックライト部２１６ＢＬ（図４参照）が取り付けられている場合がある。
【００３４】
また、画像処理装置１０は、電源装置２０２を備えており、メインコントローラ２００とは信号ハーネス２０１で接続されている。
【００３５】
電源装置２０２は、商用電源２４２から電力の供給を受けている。
【００３６】
電源装置２０２では、メインコントローラ２００、ファクシミリ通信制御回路２３６、画像読取部２３８、画像形成部２４０、ＵＩタッチパネル２１６のそれぞれに対して独立して電力を供給する電力供給線３５Ａ〜３５Ｄが設けられている。このため、メインコントローラ２００では、各処理部（デバイス）に対して個別に電力供給（電力供給モード）、或いは電力供給遮断（スリープモード）し、所謂部分節電制御を可能としている。
【００３７】
また、メインコントローラ２００には、２個の第１の人感センサ２８、第２の人感センサ３０が接続されており、画像処理装置１０の周囲の人の有無を監視している。この第１の人感センサ２８、第２の人感センサ３０については後述する。
【００３８】
（部分節電構成を主体とした機能ブロック図）
図４は、前記メインコントローラ２００によって制御される被動作部（「処理部」、「デバイス」、「モジュール」等と称する場合もある）、並びにメインコントローラ２００、並びに各デバイスへ電源を供給するための電源装置２０２の電源ラインを主体とした概略構成図である。第１の実施の形態では、画像処理装置１０が処理部単位で電力供給又は非供給が可能でとなっている（部分節電制御）。なお、処理部単位の部分節電は一例であり、処理部をいくつかのグループに分類しグループ単位で節電の制御を行ってもよい。
【００３９】
また、部分節電の対象としてメインコントローラ２００も含まれており、全ての処理部が節電される場合、監視制御部２４（後述）が必要最小限の電力を受け、その他の制御機器への電力供給を遮断するようになっている（スリープモード）。
【００４０】
［メインコントローラ２００］
図４に示される如く、メインコントローラ２００は、ＣＰＵ２０４、ＲＡＭ２０６、ＲＯＭ２０８、Ｉ／Ｏ（入出力部）２１０、及びこれらを接続するデータバスやコントロールバス等のバス２１２を有している。Ｉ／Ｏ２１０には、ＵＩ制御回路２１４を介してＵＩタッチパネル２１６（バックライト部２１６ＢＬを含む）が接続されている。また、Ｉ／Ｏ２１０には、ハードディスク（ＨＤＤ）２１８が接続されている。ＲＯＭ２０８やハードディスク２１８等に記録されているプログラムに基づいて、ＣＰＵ２０４が動作することによって、メインコントローラ２００の機能を実現する。なお、該プログラムを格納した記録媒体（ＣＤ、ＤＶＤ、ＢＤ（ブルーレイディスク）、ＵＳＢメモリ、ＳＤメモリ等）から該プログラムをインストールし、これに基づいてＣＰＵ２０４が動作することにより画像処理機能を実現してもよい。
【００４１】
Ｉ／Ｏ２１０には、タイマ回路２２０、通信回線Ｉ／Ｆ２２２が接続されている。さらに、Ｉ／Ｏ２１０には、ファクシミリ通信制御回路（モデム）２３６、画像読取部２３８、画像形成部２４０の各デバイスに接続されている。
【００４２】
なお、前記タイマ回路２２０は、前記ファクシミリ通信制御回路２３６、画像読取部２３８、画像形成部２４０を節電状態（電力供給遮断状態）とするための契機として、計時を行うものである（以下、「システムタイマ」という場合がある）。
【００４３】
メインコントローラ２００及び各デバイス（ファクシミリ通信制御回路２３６、画像読取部２３８、画像形成部２４０）は、電源装置２０２から電源が供給される（図４の点線参照）。なお、図４では、電源線を１本の線（点線）で示しているが、実際には２本〜３本の配線である。
【００４４】
［電源装置２０２］
図４に示される如く、商用電源２４２から引き込まれた入力電源線２４４は、メインスイッチ２４６に接続されている。メインスイッチ２４６がオンされることで、第１の電源部２４８及び、第１のサブ電源スイッチ２５６を介して第２の電源部２５０へ電力供給が可能となる。
【００４５】
第１の電源部２４８は、制御用電源生成部２４８Ａを備え、メインコントローラ２００の電源制御回路２５２に接続されている。電源制御回路２５２は、メインコントローラ２００に電力を供給すると共に、Ｉ／Ｏ２１０に接続され、メインコントローラ２００の制御プログラムに従って、前記各デバイス（ファクシミリ通信制御回路２３６、画像読取部２３８、画像形成部２４０）への電源線を導通／非導通させるためのスイッチング制御を行う。
【００４６】
一方、第２の電源部２５０へ接続される電源線２５４（接地側）には、第１のサブ電源スイッチ２５６（以下、「ＳＷ−１」という場合がある。）が介在されている。このＳＷ−１は、前記電源制御回路２５２で、オン・オフが制御されるようになっている。すなわち、このＳＷ−１がオフのときは第２の電源部２５０は機能しない（「ＳＷ−１」以降は消費電力０状態）。
【００４７】
第２の電源部２５０は、２４／１００Ｖ電源部２５０Ｈ（ＬＶＰＳ２）と５Ｖ電源部２５０Ｌ（ＬＶＰＳ１）を備えている。２４／１００Ｖ電源部２５０Ｈ（ＬＶＰＳ２）は主としてモータ等で使用される電源である。
【００４８】
第２の電源部２５０の２４／１００Ｖ電源部２５０Ｈ（ＬＶＰＳ２）及び５Ｖ電源部２５０Ｌ（ＬＶＰＳ１）は、選択的に、画像読取部電力供給部２５８、画像形成部電力供給部２６０、ファクシミリ通信制御回路電力供給部２６４、ＵＩタッチパネル電力供給部２６６に接続されている。
【００４９】
画像読取部電力供給部２５８は、２４／１００Ｖ電源部２５０Ｈ（ＬＶＰＳ２）を入力源として、第２のサブ電源スイッチ２６８（以下、「ＳＷ−２」という場合がある。）を介して、画像読取部２３８に接続されている。
【００５０】
画像形成部電力供給部２６０は、２４／１００Ｖ電源部２５０Ｈ（ＬＶＰＳ２）と５Ｖ電源部２５０Ｌ（ＬＶＰＳ１）を入力源として、第３のサブ電源スイッチ２７０（以下、「ＳＷ−３」という場合がある。）を介して、画像形成部２４０に接続されている。
【００５１】
ファクシミリ通信制御回路電力供給部２６４は、２４／１００Ｖ電源部２５０Ｈ（ＬＶＰＳ２）と５Ｖ電源部２５０Ｌ（ＬＶＰＳ１）を入力源として、第４のサブ電源スイッチ２７４（以下、「ＳＷ−４」という場合がある。）を介して、ファクシミリ通信制御回路２３６及び画像形成部２４０に接続されている。
【００５２】
ＵＩタッチパネル電力供給部２６６は、５Ｖ電源部２５０Ｌ（ＬＶＰＳ１）と２４／１００Ｖ電源部２５０Ｈ（ＬＶＰＳ２）を入力源として、第５のサブ電源スイッチ２７６（以下、「ＳＷ−５」という場合がある。）を介して、ＵＩタッチパネル２１６（バックライト部２１６ＢＬを含む）に接続されている。なお、ＵＩタッチパネル２１６の本来の機能（バックライト部２１６ＢＬを除く機能）へは、節電中監視制御部２４から電力を供給可能としてもよい。
【００５３】
前記第２のサブ電源スイッチ２６８、第３のサブ電源スイッチ２７０、第４のサブ電源スイッチ２７４、第５のサブ電源スイッチ２７６は、それぞれ前記第１のサブ電源スイッチ２５６と同様に、メインコントローラ２００の電源制御回路２５２からの電源選択信号に基づいて、オン・オフ制御される。図示していないが、２４／１００Ｖ電源部２５０Ｈと５Ｖ電源部２５０Ｌが供給されるスイッチや配線は、２系統で構成されている。また電源スイッチ２６８〜２７６は電源装置２０２でなく、電力供給先の各デバイス内に配置されても良い。また、図示していない画像形成部の定着部（図３に示す「Ｆｕｓｅｒ」に相当）は、商用電源２４２が、第１のサブ電源スイッチ２５６（「ＳＷ−１」）以降から供給され、画像形成部２４０で必要なときのみ通電される。
【００５４】
上記構成では、機能別に各デバイス（ファクシミリ通信制御回路２３６、画像読取部２３８、画像形成部２４０）を選択した電力を供給し、指示された機能に不要なデバイスへの電源を供給しないため、必要最小限の電力で済む。
【００５５】
（画像処理装置の状態遷移のための監視制御）
ここで、第１の実施の形態のメインコントローラ２００は、必要最小限の電力消費となるように、部分的にその機能を停止させる場合がある（部分節電）。或いは、メインコントローラ２００の大部分を含め、電力の供給を停止させる場合がある（「スリープモード（節電モード））。
【００５６】
スリープモードは、例えば、画像処理が終了した時点でシステムタイマを起動させることで移行可能である。すなわち、前記システムタイマが起動してから所定時間経過することで電力供給を停止させている。なお、所定時間が経過するまでに、何らかの操作（ハードキーの操作等）があれば、当然、スリープモードへのタイマカウントは中止され、次の画像処理終了時からシステムタイマが起動される。
【００５７】
一方、上記スリープモード中において、常に電力の供給を受ける素子として、節電中監視制御部２４（図４参照）がＩ／Ｏ２１０に接続されている。この節電中監視制御部２４は、例えば、ＡＳＩＣと称される、自身で動作プログラムが格納され、当該動作プログラムで処理されるＣＰＵ，ＲＡＭ，ＲＯＭ等を備えたＩＣチップ等を備えるようにしてもよい。
【００５８】
ところで、前記節電中の監視において、例えば、通信回線検出部からプリント要求などが来たり、ＦＡＸ回線検出部からＦＡＸ受信要求が来ることで、節電中であったデバイスに対して、節電中監視制御部２４では、電源制御回路２５２を介して、第１のサブ電源スイッチ２５６、第２のサブ電源スイッチ２６８、第３のサブ電源スイッチ２７０、第４のサブ電源スイッチ２７４、第５のサブ電源スイッチ２７６を制御することで、電力の供給を行なうことが前提である。
【００５９】
（メインコントローラの電力供給／遮断制御）
また、図４に示される如く、メインコントローラ２００のＩ／Ｏ２１０には、節電制御ボタン２６（単に、「節電ボタン２６」という場合がある。）が接続されており、節電中に使用者がこの節電制御ボタン２６を操作することで、節電が解除可能となっている。なお、この節電制御ボタン２６には、処理部に電力が供給されているときに操作されることで、当該処理部の電力供給を強制的に遮断し、節電状態にする機能を併せ持つ。
【００６０】
ここで、スリープモードで監視するためには、節電中監視制御部２４以外に、節電制御ボタン２６や各検出部には節電中に必要最小限の電力を供給しておくことが好ましい。すなわち、電力非供給状態であるスリープモードであっても、予め定めた電力以下（例えば、０．５Ｗ以下）であり電力供給を行うか否かの判別制御に必要な電力の供給を受ける場合がある。
【００６１】
なお、スリープモードの特定の期間として、メインコントローラ２００、ＵＩタッチパネル２１６やＩＣカードリーダー２１７等の入力系を主体とした必要最小限の電力供給を供給する期間を設けてもよい。これは、使用者への利便性を考慮したものである。なお、この場合、ＵＩタッチパネル２１６では、少しでも省エネ性を確保するため、バックライト部２１６ＢＬを消灯する、或いは照度を通常よりも減らすことが好ましい。また、前記スリープモードの特定の期間を、依然としてスリープモードと定義するか、或いは別のモードとして定義するかは特に重要ではない。例えば、スリープモードの定義が、「予め定めた省エネレベル等の消費電力以下」であるならば、前記スリープモードの特定の期間の消費電力が、前記予め定めた省エネレベル以下を維持するか否かによって判断すればよい。
【００６２】
例えば、スリープモード中に、使用者が節電制御ボタン２６を操作し、処理機能として、複写しようとする場合、特定の期間として、まず、メインコントローラ２００を立ち上げて、ＵＩタッチパネル２１６の操作や、ＩＣカードリーダー２１７によるカード認証を可能とした後、使用者の操作状況に応じて、デバイスを選択して電力を供給するようにすれば、利便性と省エネ性を両立可能である。
【００６３】
（人感センサの機能）
ところで、スリープモード時に使用者が画像処理装置１０の前に立ち、その後に節電制御ボタン２６を操作して、電力供給を再開した場合、画像処理装置１０が立ち上がるまでに時間を要する場合があった。
【００６４】
そこで、前記節電中監視制御部２４に、第１の人感センサ２８、第２の人感センサ３０を設置すると共に、スリープモードでは、使用者が節電解除ボタンを押す前に人感センサで検知して早期に電力供給を再開して、使用者が早く使えるようにした。なお、節電制御ボタン２６と第１の人感センサ２８、第２の人感センサ３０とを併用しているが、第１の人感センサ２８、第２の人感センサ３０のみで全ての監視を行うことも可能である。
【００６５】
図４に示される如く、第１の人感センサ２８、第２の人感センサ３０は、検出部２８Ａ、３０Ａと回路基板部２８Ｂ、３０Ｂとを備えており、回路基板部２８Ｂ，３０Ｂは、検出部２８Ａ、３０Ａで検出した信号の感度を調整したり、出力信号を生成する。
【００６６】
なお、第１の人感センサ２８、第２の人感センサ３０は、「人感」としているが、これは、第１の実施の形態に則した固有名詞であり、少なくとも人が感知（検出）できればよく、言い換えれば、人以外の移動体の感知（検出）も含むものである。従って、以下において、人感センサの検出対象を「人」に言及する場合があるが、将来的には、人に代わって実行するロボット等も感知対象範囲である。なお、逆に、人と特定して感知できる特殊センサが存在する場合は、当該特殊センサを適用可能である。以下では、移動体、人、使用者等は、第１の人感センサ２８、第２の人感センサ３０が検出する対象として同義として扱い、必要に応じて区別することとする。
【００６７】
「第１の人感センサ２８」
第１の実施の形態に係る第１の人感センサ２８の仕様は、画像処理装置１０の周囲（例えば、１ｍ〜５ｍの範囲）において、移動体の動きを検出するものである。この場合、焦電素子の焦電効果を用いた赤外線センサ等が代表的である（焦電型センサ）。第１の実施の形態では、第１の人感センサ２８として焦電型センサを適用している。
【００６８】
この第１の人感センサ２８に適用された焦電素子の焦電効果を用いたセンサの最大の特徴は、検出領域が広いことである。また、移動体の動きを感知するため、検出領域内であって、人が静止していると、人の存在を検出しない。例えば、人の移動時にハイレベル信号が出力されている場合、検出範囲内の人が静止すると、当該信号がローレベル信号になるものである。
【００６９】
なお、第１の実施の形態における「静止」とは、スチルカメラ等で撮影した静止画のように完全静止も当然含まれるが、例えば、人が画像処理装置１０の前に操作を目的として立ち止まることを含むものとする。従って、予め定めた範囲の微動（呼吸に伴う動き等）や、手足、首等を動かすといった場合を静止の範疇とする。
【００７０】
但し、人が画像処理装置１０の前で、例えば画像形成や画像読取等の処理を待つ間、その場でストレッチ運動等を行うと、人感センサ２８では、人の存在を検出する場合もある。
【００７１】
従って、当該「静止」を定義して第１の人感センサ２８による動き検出のためのしきい値を設定するのではなく、しきい値は比較的おおまか、かつ標準的に設定し、環境（温度、湿度等）に基づく、当該第１の人感センサ２８の検出状態に依存するようにしてもよい。すなわち、装置設置場所において、実験的に又は統計的に、第１の人感センサ２８が二値信号の内の１つ（例えば、ハイレベル信号）を出力しているときは人が動いていることを示し、第２の第１の人感センサ２８の検出領域内に人が存在し、かつ二値信号の内の他の１つ（例えば、ローレベル信号）が出力された場合を静止とするようなしきい値を設定すればよい。
【００７２】
第１の実施の形態に係る第１の人感センサ２８の仕様は、画像処理装置１０の周囲（例えば、０ｍ〜５ｍの範囲）において、移動体の動きを検出するものである。
【００７３】
「第２の人感センサ３０」
一方、第１の実施の形態に係る第２の人感センサ３０の仕様は、移動体の有無（存在・不存在）を検出するものが適用されている。この第２の人感センサ３０に適用されるセンサは、投光部と受光部とを備えた反射型センサ等が代表的である（反射型センサ）。なお、投光部と受光部とが分離された形態であってもよい。
【００７４】
この第２の人感センサ３０に適用された反射型センサ等の最大の特徴は、受光部に入る光を遮断する／しないによって移動体の有無を確実に検出することである。また、投光部から投光される光量等により、受光部へ入射する光量に制限があるため、比較的近距離が検出領域である。
【００７５】
なお、第１の人感センサ２８、第２の人感センサ３０として、以下に示す機能をそれぞれ達成することが可能であれば、第１の人感センサ２８として焦電型センサや、第２の人感センサ３０として反射型センサに限定されるものではない。
【００７６】
ここで、第１の実施の形態では、第１の人感センサ２８と第２の人感センサ３０により、最大検出範囲（例えば、図６及び図７の第１の領域Ｆと第２の領域Ｎ）を設定した。
【００７７】
相対的に遠い検出領域である図６の第１の領域Ｆ（単に、「領域Ｆ」という場合がある）は、第１の人感センサ２８による検出領域であり、相対的に遠隔の移動体検出手段としての機能を有する。また、相対的に近い検出領域である図６の第２の領域Ｎ（単に、「領域Ｎ」という場合がある）は、第２の人感センサ３０による検出領域であり、相対的に近接の移動体検出手段としての機能を有する。
【００７８】
第１の人感センサ２８の検出領域（図６の第１の領域Ｆ参照）は、画像処理装置１０が設置されている場所の環境にもよるが、目安として臨界点（最も遠い位置）が０．８〜３ｍ程度が好ましい。一方、第２の人感センサ３０の検出領域（図６の第２の領域Ｎ)参照）は、画像処理装置１０のＵＩタッチパネル２１６やハードキーの操作が可能な範囲であり、目安として臨界点（最も遠い位置）が０．２〜１．０ｍ程度が好ましい。また、当然ではあるが、双方の設定後、第１の人感センサ２８の臨界点の方が、第２の人感センサ３０の臨界点よりも遠くなる。
【００７９】
（第１の人感センサ２８、第２の人感センサ３０及びその周辺の構成）
図７に示される如く、画像処理装置１０は、画像読取装置２３８と、画像形成装置２４０等が筐体３００に覆われており、第１の人感センサ２８（第２の人感センサ３０を含む）は、当該筐体３００における、縦長矩形状のピラー部３０２に取り付けられている。ピラー部３０２は、前記画像読取装置２３８を覆う上筐体３００Ａと画像形成装置２４０を覆う下筐体３００Bとを連結する部分であり、その内部は記録用紙搬送系等が組み付けられている。
【００８０】
ピラー部３０２の前面は、前記ピラー部３０２を意匠的な要素を持って被覆する縦長の矩形状のカバー部材３０４が取り付けられている。
【００８１】
図７に示される如く、カバー部材３０４の下面と、前記下筐体３００Ｂの上面との間には、隙間部３１２が設けられている。また、図８に示される如く、カバー部材３０４の下端部は所謂面取り加工（面取り部３０４Ａ）形状とされ、前記隙間部３１２の開口面積が、奥側の隙間寸法よりも大きくなっている。
【００８２】
前記面取り部３０４Ａには矩形状の貫通孔３０４Ｂが設けられ、第１の人感センサ２８が取り付けられている。このため、貫通孔３０４Ｂは、前記第１の人感センサ２８により移動体を検出するための監視窓としての役目を有する。以下、貫通孔３０４Ｂを監視窓３０４Ｂという場合がある。
【００８３】
ここで、監視窓３０４Ｂは、面取り部３０４Ａに形成されているため、前面に形成されているよりも、装置前方からは見えにくく、カバー部材３０４の意匠的な要素を損なわない構造となっている。
【００８４】
また、図８に示される如く、カバー部材３０４の図８の上端部には、縦長のスリット孔３１０が設けられており、当該スリット孔３１０の裏面側には、第２の人感センサ３０が配置されている。第２の人感センサ３０は、検出部３０Ａとして受光部３０ＩＮと投光部３０ＯＵＴとを備え、当該検出部３０Ａが回路基板部３０Ｂに取り付けられている。回路基板部３０Ｂは、ベース部材３０６に取り付けられている。
【００８５】
図８では図示を省略したが、図９に示される如く前記スリット孔３１０には、透過率が比較的低い（透過率５０％以下）の遮光カバー５０が嵌め込まれている。この遮光カバー５０は、半円筒刑部材（所謂、「雨どい」状とされ、ベース部材３０６を囲むように取り付けられている。また、遮光カバー５０は、円弧面の一部が前記スリット孔３１０から露出するように配置されている。
【００８６】
前記ベース部材３０６は、その背面側に回転軸３０６Ａが取り付けられている。この回転軸３０６Ａは、モータ５２の駆動力で回転するようになっている。この回転軸３０６Ａの回転に伴って、第２の人感センサユニット３０６は、予め定められた角度の範囲で回転（所謂、「首振り」）可能となる。
【００８７】
なお、この第２の人感センサユニット３０６の回転の角度範囲は、遮光カバー５０の円弧部の範囲内であるため、外部からは、第２の人感センサユニット３０６の回転状況は見えず、言い換えれば、意匠的な変化は発生しない。
【００８８】
（センサ電力供給制御）
第１の実施の形態では、第２の人感センサ３０は、常時、電力供給を受けていない。第２の人感センサ３０は、第１の人感センサ２８が管轄する図６の第１の領域Ｆに移動体（使用者）が進入した時点で電力が供給されて動作を開始し、その後、この第２の人感センサ３０が管轄する図６の第２の領域Ｎに移動体（使用者）が進入した時点でスリープモードからスタンバイモードへの立ち上げを指示する。
【００８９】
すなわち、検出領域の異なる２つの人感センサ（第１の人感センサ２８と第２の人感センサ３０）が互いに連携しあって、必要最小限の電力供給を受けるようになっている。
【００９０】
一方、第２の人感センサ３０の電力供給の遮断に関しては、前記第１の人感センサ２８の移動体検出状況に加え、前記節電中監視制御部２４に設けられたタイマ機能が併用されるようになっている。このタイマ機能は、前述したシステムタイマと区別するため、「センサタイマ」という場合がある。
【００９１】
センサタイマは、節電中監視制御部２４の機能の１つである。すなわち、制御系は当然動作クロックを備えており、このクロック信号からタイマを生成してもよいし、一定時間毎処理毎にカウントするカウンタプログラムを生成してもよい。
【００９２】
図６に示される如く、移動体（使用者）と画像処理装置１０との関係は、大きく分けて３形態あり、第１の形態は、人が画像処理装置１０に対して、使用目的で操作可能位置まで近づいてくる形態（図６のＡ線矢視の動向（Ａパターン）参照）、第２の形態は、人が処理装置を使用目的ではないが、操作可能位置まで近づいてくる形態（図６のＢ線矢視の動向（Ｂパターン）参照）、第３の形態は、人が処理装置の操作可能位置まで近づかないが、第１の形態、第２の形態に移行する可能性のある距離まできている形態（図６のＣ線矢視の動向（Ｃパターン）参照）である。
【００９３】
第１の実施の形態では、第１の人感センサ２８による検出情報、並びに第１の人感センサ２８による検出情報とセンサタイマの計時情報に基づいて、前記動向（図６に示すＡパターン〜Ｃパターンを基本とする人の移動形態）に即した第２の人感センサ３０の電力供給時期及び電力供給遮断時期を制御している。
【００９４】
（付加装着による検出範囲調整）
ところで、前記図６に示す移動体（使用者）の基本的な移動形態は、画像処理装置１０の上面、かつ中央付近にＵＩタッチパネル２１６が設けられており、使用者が、まず、このＵＩタッチパネル２１６に向かって接近することを前提としている。また、画像処理が終了するときも、このＵＩタッチパネル２１６に対峙することを前提としている。
【００９５】
このため、図１０に示される如く、第２の人感センサ３０の検出領域の中心光軸Ｌ１は、画像処理装置１０の左端（図８のピラー部３０２）から画像処理装置１０の中央に向けられている。以下、この第２の人感センサ３０の位置（光軸Ｌ１の位置）を基本位置とする。
【００９６】
この基本位置では、画像処理装置１０の正面に立つ使用者を確実に検出可能であり、言い換えれば、ＵＩタッチパネル２１６の正面に立つ使用者も同時に検出可能である。
【００９７】
一方で、画像処理装置１０には、様々な付加装置を取り付けることが可能である。付加装置の代表的な例としては、ＩＣカードリーダー２１７（図１０参照）、フィニッシャー２１９（図１５参照）等がある。
【００９８】
図１０（Ａ）に示される如く、ＩＣカードリーダー２１７は、図１０（Ａ）の実線で示すように画像処理装置１０の左側面に取り付ける場合（以下、「第１の取付位置」という）と、図１０（Ａ）の鎖線で示すようにのＵＩタッチパネル２１６に隣接して設ける場合（以下、「第２の取付位置」という）とがある。なお、この第１の取付位置、第２の取付位置以外にも取付位置はあるが、ここでは２箇所とする。
【００９９】
何れの取付位置であっても、ＩＣカードリーダー２１７が取り付けられている場合、使用者Ｈは、画像処理装置１０に接近して自身が所持するＩＣカードをかざすべく、ＵＩタッチパネル２１６よりも先に近づく場所となる。
【０１００】
ここで、ＩＣカードリーダー２１７が第２の取付位置（図１０（Ａ）の鎖線位置）に取り付けられている場合は、ＵＩタッチパネル２１６の接近軌跡と同等である。このため、第１の人感センサ２８による検出で電力が供給される第２の人感センサ３０は、前記基本位置において、ＩＣカードリーダー２１７に近づいてくる使用者を検出可能である。
【０１０１】
一方、図１０（Ｂ）に示される如く、ＩＣカードリーダー２１７が第１の取付位置に取り付けられている場合は、ＵＩタッチパネル２１６の接近軌跡とは異なる。このため、第１の人感センサ２８による検出で電力が供給される第２の人感センサ３０は、前記基本位置において、ＩＣカードリーダー２１７に近づいてくる使用者を検出できない。
【０１０２】
そこで、第１の実施の形態では、ＩＣカードリーダー２１７の取付位置（第１の取付位置又は第２の取付位置）に基づいて、前記第２の人感センサ３０を搭載する第２の人感センサユニット３０６を、回転軸３０６Ａを中心に回転する制御を行っている。この制御により、第２の人感センサ３０の向きが変更され、このときの第２の人感センサ３０の検出領域の中心光軸Ｌ２は、図１０（Ｃ）に示される如く、画像処理装置１０の左端（図７のピラー部３０２）から画像処理装置１０の左外側に向けられている。
【０１０３】
また、前記第２の人感センサ３０の向き（光軸の向き）に加え、第２の人感センサ３０における検出距離も併せて調整している。
【０１０４】
なお、第２の人感センサ３０が、第１の実施の形態に適用されるように、反射型センサの場合、当該反射型センサが備える検知距離検出コンパレータの基準電圧を調整することが実現可能である。例えば、基準電圧を１．５Ｖとすると、相対的に検出距離が短く（狭く）なり、基準電圧を０．８Ｖとすると、相対的に検出距離が長く（広く）なる。
【０１０５】
第２の人感センサ３０の検出の向きと検出距離とは、相関関係を持たせており、例えば、自動で調整する場合、向き（第１の位置か第２の位置か）が判れば、それぞれの検出距離が確定する。第１の実施の形態では、第１の位置では相対的に検出距離を長くし、第２の位置では相対的に検出距離を短くしている。
【０１０６】
さらに、第１の実施の形態では、ＵＩタッチパネル２１６における操作によって、第２の人感センサ３０の検出の向きと、検出距離とを独立して手動設定することも可能となっている。
【０１０７】
図１１は、ＵＩタッチパネル２１６の表示面に表示される第２の人感センサ３０の手動調整画面２１６Ａである。この手動調整画面２１６Ａは、ＵＩタッチパネル２１６に調整指示の操作において、「手動」を選択すると表示される画面である。
【０１０８】
手動調整画面２１６Ａは、大きく分けて、左側に向き（角度）設定画面２１６Ｂと、検出距離設定画面２１６Ｃとに分類され、それぞれの画面において、第２の人感センサ３０を模写する画像（ここでは、円形画像２１６Ｄ）が表示されている。
【０１０９】
向き（角度）設定画面２１６Ｂでは、円形画像２１６Ｄを中心として、向きの調整可能な角度（ここでは、９０°前後）にボーダーライン画像２１６Ｅが表示され、このボーダーライン画像２１６Ｅを円弧状に結ぶ矢印画像２１６Ｆが表示されている。この矢印画像２１６Ｆは、タッチ操作領域でもある。すなわち、向き（角度）設定画面２１６Ｂには、メッセージ表示部２１６Ｇが設けられ、「角度を調整して下さい」といったメッセージが表示され、使用者に対して、矢印画像２１６Ｆの何れかをタッチ操作することを促す。この表示を見て、使用者が矢印画像２１６Ｆの何れかの位置をタッチ操作すると、第２の人感センサ３０の向き（指定角度）が確定するようになっている。
【０１１０】
また、検出距離設定画面２１６Ｃでは、円形画像２１６Ｄに対して、それぞれ同心円状、かつ異なる半径となる複数の円弧帯画像２１６Ｈが表示されている。円弧帯画像２１６Ｈは、隣接するそれぞれの半径差が同一であり、均等ピッチで表示されている。
【０１１１】
また、円弧帯画像２１６Ｈは、その円弧幅が９０°であり、検出範囲を想像させるようになっている。
【０１１２】
円弧帯画像２１６Ｈは、それぞれがタッチ操作領域となっている。すなわち、検出距離設定画面２１６Ｃには、メッセージ表示部２１６Ｉが設けられ、「検出距離を調整して下さい」といったメッセージが表示され、使用者に対して、円弧帯画像２１６Ｈの何れかをタッチ操作することを促す。この表示を見て、使用者が円弧帯画像２１６Ｈの何れかをタッチ操作すると、第２の人感センサ３０の距離が確定するようになっている。
【０１１３】
なお、検出距離設定画面２１６Ｃには、数値表示画面（兼タッチ操作領域）２１６Ｊが設けられ、当該数値表示画面２１６Ｊをタッチ操作後、テンキー等によって、直接検出距離（例えば、○○ｃｍ）を入力するようにしてもよい。
【０１１４】
向き（角度）設定画面２１６Ｂ及び／又は検出距離設定画面２１６Ｃでの設定が完了した後は、完了ボタン２１６Ｋをタッチ操作することで終了する。
【０１１５】
図１２は、メインコントローラ２００で実行される、第２の人感センサ３０の検出領域（向き、距離）調整制御のための機能ブロック図である。なお、この図１２のブロックは、第２の人感センサ３０の検出領域調整制御を機能別に分類したものであり、ハード構成を限定するものではない。
【０１１６】
ＵＩタッチパネル２１６に調整指示の操作があると、その指示が調整制御受付部１００に送出される。
【０１１７】
調整制御受付部１００では、調整指示が自動か手動かの情報が含まれている。調整制御受付部１００は、取付位置情報取得部１０２及び調整指示情報取得部１０４が接続されている。調整制御受付部１００では、受け付けた調整指示が自動の場合は、取付位置情報取得部１０２に調整の実行指示を送出する。また、調整制御受付部１００では、受け付けた調整指示が手動の場合は、調整指示情報取得部１０６に調整の実行信号を送出する。
【０１１８】
取付位置情報取得部１０２は、実行指示を受けるとＵＩタッチパネル２１６からオプション取付情報（ここでは、ＩＣカードリーダー２１７が第１の取付位置か第２の取付位置かの情報）を取得し、センサユニット向き決定部１０６及び検出距離決定部１０８に送出されるようになっている。
【０１１９】
センサユニット向き決定部１０６は、予めＩＣカードリーダー２１７の取付位置と、第２の人感センサユニット３０６（第２の人感センサ３０）の向きとの相関関係情報を持っており、この相関関係情報に基づいて、第２の人感センサユニット３０６の向きを決定する。
【０１２０】
また、検出距離決定部１０８は、予めＩＣカードリーダー２１７の取付位置と、第２の人感センサユニット３０６（第２の人感センサ３０）の検出距離との相関関係情報を持っており、この相関関係情報に基づいて、第２の人感センサユニット３０６の検出距離を決定する。
【０１２１】
一方、調整指示情報取得部１０４は、実行指示を受けるとＵＩタッチパネル２１６から、調整指示情報（向き、検出距離等）が入力されるようになっている。調整指示情報取得部１０４は、前記センサユニット向き決定部１０６と、前記検出距離調整部１０８とに接続されている。センサユニット向き決定部１０６では、調整指示情報に従い、センサユニットの向きを決定する。また、検出距離決定部１０８では、調整指示情報に従い、第２の人感センサ３０の検出距離を決定する。
【０１２２】
センサユニット向き決定部１０６は、調整量・調整方向演算部１１０に接続されている。調整量・調整方向演算部１１０には、現調整位置情報記憶部１１２が接続され、当該現調整位置情報記憶部１１２から、現在の第２の人感センサユニット３０６が調整されている位置情報を取り込み、センサユニット向き決定部１０６で決定した位置までの調整量と調整方向（回転方向）を演算する。調整量・調整方向演算部１１０は、駆動制御部１１４に接続されており、演算結果を駆動制御部１１４へ送出するようになっている。
【０１２３】
駆動制御部１１４では、第２の人感センサユニット３０６のモータ５２の駆動を制御し、第２の人感センサユニット３０６を、前記回転軸３０６Ａを中心に回転させ、所望の向きとする。
【０１２４】
また、駆動制御部１１４は、調整位置情報更新部１１６に接続されており、前記モータ５２の駆動制御と同期して、調整位置情報を送出する。
【０１２５】
調整位置情報更新部１１６は、前記現調整位置情報記憶部１１２に接続され、モータ５２の駆動制御毎に現調整位置情報が更新されるようになっている。
【０１２６】
一方、前記検出距離決定部１０８は、検出距離調整部１１８に接続されている。
【０１２７】
検出距離調整部１１８は、第２の人感センサ３０の回路基板部３０Ｂに接続されており、例えば、検出電圧等の調整によって、検出距離を調整する。
【０１２８】
前記駆動制御部１１４及び検出距離調整部１１８は、調整完了情報出力部１２０に接続されている。
【０１２９】
調整完了情報出力部１２０では、前記モータ５２の駆動制御、並びに第２の人感センサ３０の検出距離の完了時に、と同期して、ＵＩタッチパネル２１６に対して調整完了情報を送出する。
【０１３０】
ＵＩタッチパネル２１６では、自動調整を指示している場合、この調整完了情報を受けることで、調整結果の良否を判定するべく、ＵＩタッチパネル２１６の表示部に、ＩＣカードリーダー２１７の前に使用者を立たせる旨のメッセージを表示する。例えば、メッセージとしては、「セキュリティ機器の使用位置に立って下さい。」等がある。また、手動調整を指示している場合は、調整完了を報知するメッセージを表示する。例えば、メッセージとしては、「調整が完了しました。」等がある。なお、手動調整の場合、第２の人感センサユニット３０６の向きと、第２の人感センサ３０の検出距離とを別々に実行する場合があり、この場合は、それぞれの完了を報知する。
【０１３１】
第２の人感センサユニット３０６には、検出信号取得部１２２が接続されている。なお、この検出信号取得部１２２は、人感センサ３０の信号に基づいて、画像処理装置１０の一部又は全部に電力を供給するための制御とは別に設けられた、調整専用である。検出信号取得部１２２では、前記調整結果の良否判定を行うメッセージ表示後、一定期間、検出信号を取得する。取得した検出信号は、検出結果判定部１２４に接続され、ＩＣカードリーダー２１７の前に立っている使用者を確実に検出しているか否かの判定を行い、判定結果出力部１２６を介してＵＩタッチパネル２１６へ判定結果を送出する。
【０１３２】
判定結果出力部１２６から判定結果を受けたＵＩタッチパネル２１６では、判定結果が「良」であれば調整終了を示す報知行い、「否」であれば再試行、或いは手動調整の選択を促す報知を行う。例えば、「良」判定のメッセージとしては、「調整後の判定は良好です。調整処理を終了します」等がある。また、例えば、「否」判定のメッセージとしては、「調整ができません。再試行であれば「１」を押して下さい。手動に切り替えるなら「２」を押して下さい。終了するなら「０」を押して下さい。」等があり、ＵＩタッチパネル２１６の操作で選択させる。
【０１３３】
以下、第１の実施の形態の作用を説明する。
【０１３４】
（画像処理装置１０（デバイス）の電力供給制御のモード遷移）
まず、図５に基づき、画像処理装置１０における、各モード状態と、当該モード状態の移行の契機となる事象を示したタイミングチャートを示す。
【０１３５】
画像処理装置１０は、処理がなされていないと動作状態は、スリープモードとなり、第１の実施の形態では、節電中監視制御部２４にのみ電力が供給されている。
【０１３６】
ここで、立ち上げ契機（立ち上げトリガの検出、或いは節電制御ボタン２６等の操作）があると、動作状態はウォームアップモードへ遷移する。
【０１３７】
なお、この立ち上げトリガ契機後は、依然としてスリープモードと定義する場合もあるが、メインコントローラ２００及びＵＩタッチパネル２１６の起動によって、節電中監視制御部２４のみの電力供給よりも電力供給量が増加する。また、例えば、節電制御ボタン２６の操作によって復帰すると、ジョブを選択するモードまで復帰し、選択されたジョブによってどのデバイスが起動するかが決まり、画像形成部２４０が起動しない場合はウォームアップしない場合もある。
【０１３８】
前記立ち上げのトリガとしては、操作者の節電制御ボタン２６の操作による節電解除操作の他、例えば、人感センサによる検出結果に基づく信号やＩＣカードリーダ２１７の操作認証であってもよい。
【０１３９】
ウォームアップモードは画像処理装置１０（主として、画像形成部２４０の定着部の温度）を迅速に処理可能状態にもっていくため、各モードの内最大の電力消費量となるが、例えば、定着部におけるヒータとしてＩＨヒータを利用することによって、ハロゲンランプを用いたヒータよりもウォームアップモード時間は、比較的短い時間とされている。なお、ＩＨヒータとハロゲンランプの併用も可能である。
【０１４０】
ウォームアップモードによる暖機運転が終了すると、画像処理装置１０はスタンバイモードに遷移するようになっている。なお、暖気運転は、最も電力を消費するモードである（例えば、１２００Ｗ）。
【０１４１】
スタンバイモードは、文字通り「事に備えて準備が完了している」モードであり、画像処理装置１０においては、画像処理の動作が即実行できる状態となっている。
【０１４２】
このため、キー入力としてジョブ実行操作があると、画像処理装置１０の動作状態は、ランニングモードに遷移し、指示されたジョブに基づく画像処理が実行されるようになっている。
【０１４３】
画像処理が終了すると（連続した複数のジョブが待機している場合は、その連続したジョブの全てが終了したとき）、待機トリガによって画像処理装置１０の動作状態はスタンバイモードへ遷移する。なお、画像処理後、システムタイマによる計時を開始し、予め定めた時間経過した後に待機トリガを出力し、スタンバイモードへ遷移するようにしてもよい。
【０１４４】
このスタンバイモード中にジョブ実行指示があれば、再度ランニングモードへ遷移し、立ち下げのトリガ検出、或いは予め定めた時間が経過したとき、スリープモードへ遷移するようになっている。なお、立ち下げのためのトリガは、例えば、人感センサによる検出結果に基づく信号やシステムタイマ、並びにこれらの併用が可能である。
【０１４５】
また、画像処理装置１０における実際の動作におけるモード状態の遷移が、全てこのタイミングチャートのとおり時系列で進行するものではない。例えば、ウォームアップモード後のスタンバイモードで処理が中止され、スリープモードへ移行する場合もある。
【０１４６】
このように、第１の実施の形態の画像処理装置１０は、モードの間を相互に遷移しており、各モード毎に消費される電力が異なっている。
【０１４７】
また、第１の実施の形態では、各デバイス毎に電力供給制御が行われることで、例えば、スリープモードから画像読取処理が指示された場合には、画像形成部２４０を起動することなく、画像読取部２３８を通電するといった、所謂部分節電が可能である。
【０１４８】
（スリープモード中における第１の人感センサ２８、第２の人感センサ３０での監視）
ここで、第１の実施の形態では、スリープモード中は、基本的には、第１の人感センサ２８のみが電力供給を受けて、移動体の接近状態を監視している。この監視する領域（検出領域）は、図６の領域Ｆに相当し、第１の人感センサ２８の検出部２８Ａ（複数の検出素子３１４）に入力される赤外線に基づく電気信号の解析（変化量）によって、移動体の有無を検出している。
【０１４９】
この第１の人感センサ２８によって移動体を検出すると（図６の領域Ｆ内での移動体検出）、第２の人感センサ３０への電力供給を開始する。
【０１５０】
第２の人感センサ３０は、図６の領域Ｎで示すように、第１の人感センサ２８の検出領域よりも画像処理装置１０に近く、かつ狭い領域であるため、確実に画像処理装置１０を使用する使用者であることを認識し、画像処理装置１０の一部（例えば、メインコントローラ２００とＵＩタッチパネル２１６等）又は全部に電力を供給する。
【０１５１】
このように、第１の人感センサ２８と第２の人感センサ３０とを併用し、段階的に検出形態をとることで、単に通りすがりの移動体と、画像処理装置１０を使用する意志のある使用者とを区別することが可能である。
【０１５２】
（第２の人感センサ３０の検出範囲調整）
以下、図１３、図１４のフローチャートに従い第２の人感センサ３０の検出領域の調整制御について説明する。
【０１５３】
図１３は、第２の人感センサ３０の検出領域の調整（角度調整、検出距離調整）を自動的に行うための自動調整制御ルーチンである。
【０１５４】
ステップ４００では、付加装置を認識する。すなわち、付加装置として代表されるものとして、ＩＣカードリーダー２１７（図１０参照）、フィニッシャー装置２１９（図１５参照）があり、ここでは、付加装置として、ＩＣカードリーダー２１７が取り付けられた場合について説明する。
【０１５５】
次のステップ４０２では、認識したＩＣカードリーダー２１７に対する取り付け位置情報を取得して、次いでステップ４０４へ移行して、第２の人感センサ３０の最適な向き（角度）を決定し、ステップ４０６へ移行する。
【０１５６】
ステップ４０６では、第２の人感センサ３０の現在の位置情報を取得し、次いでステップ４０８へ移行して、調整量を演算する。すなわち、モータ５２の回転方向、回転パルス数等が演算される。
【０１５７】
次のステップ４１０では、モータ５２の駆動制御を行う。すなわち、モータ５２が回転すると、第２の人感センサユニット３０６を支持する回転軸３０６Ａが回転され、第２の人感センサ３０の光軸が偏向される。
【０１５８】
ステップ４１０におけるモータ駆動制御で、第２の人感センサ３０の向き（角度）が決まると、ステップ４１２へ移行して検出距離を決定し、ステップ４１４へ移行する。ステップ４１４では、第２の人感センサ３０の検出距離を調整する。検出距離は、第２の人感センサ３０の受光部３０ＩＮで検出した信号（電圧変換値）と比較するしきい値に用いられる電圧値の種類（例えば、２種類）の内から選択する。なお、しきい値は３以上あってもよい。
【０１５９】
ここで、自動調整の場合は、当該自動調整が適正に行われたか否かを判定する必要がある。そこで、ステップ４１６では、良否判定のために使用者にＩＣカードリーダー２１７の前に立ってもらうべく、ＵＩタッチパネル２１６の表示部にメッセージを表示する（「例えば、ＩＣカードリーダーの使用位置に立って下さい」）。
【０１６０】
次のステップ４１８では、第２の人感センサ３０の検出信号に基づいて、確実に使用者の存在を検出しているか否かの結果（良否）を判定し、ステップ４２０へ移行する。
【０１６１】
すなわち、使用者がＩＣカードリーダー２１７を利用するために立っていることが前提であるので、この状態で、使用者の存在を示す信号を得る必要がある。当該使用者の存在を示す信号があれば「良」判定であり、使用者の存在を示す信号でなければ「不良」判定となる。
【０１６２】
ステップ４２０で「良」と判定された場合は、自動調整が適正に終了したと判断し、このルーチンは終了する。
【０１６３】
また、前記ステップ４２０で「不良」判定された場合はステップ４２２へ移行して、再試行するか手動調整に切り替えるかを使用者に選択させる。このステップ４２２で再試行が選択された場合は、ステップ４００へ戻り、上記工程を繰り返す。また、ステップ４２２で否定判定された場合は、ステップ４２４へ移行して、手動調整処理を実行する。この手動調整処理の詳細に関しては、図１４に従い後述する。
【０１６４】
図１４は、第２の人感センサ３０の検出領域の調整（角度調整、検出距離調整）を手動で行うための自動調整制御ルーチンである。
【０１６５】
ステップ４３０では、調整の対象となる付加装置の選択があったか否かが判断される。ここでは、図１０に示すＩＣカードリーダー２１７が選択されたものとして説明する。
【０１６６】
ステップ４３０で肯定判定されると、ステップ４３２へ移行して、選択されたＩＣカードリーダー２１７に対する取り付け位置情報を取得して、ステップ４３４へ移行する。ステップ４３４では、ＵＩタッチパネル２１６の表示部に、手動調整画面２１６Ａ（図１１参照）を表示する。
【０１６７】
使用者は、この手動調整画面２１６Ａを見ながら、所謂タッチ操作によって、第２の人感センサ３０の角度指定及び／又は検出距離指定を行うことになる（ステップ４３６）。
【０１６８】
次のステップ４３８では、前記第２の人感センサ３０の角度指定及び／又は検出距離指定が完了したか否かが判断される。この場合、第２の人感センサ３０の角度指定、又は、検出距離指定、或いは第２の人感センサ３０の角度指定及び検出距離指定があり、完了ボタン２１６Ｋの操作時点で指定された角度調整値、検出距離値が確定（一時格納）される。
【０１６９】
次のステップ４４０では、第２の人感センサ３０の角度調整地を読み出し、ステップ４４２へ移行する。
【０１７０】
ステップ４４２では、第２の人感センサ３０の現在の位置情報を取得し、次いでステップ４４４へ移行して、調整量を演算する。すなわち、モータ５２の回転方向、回転パルス数等が演算される。
【０１７１】
次のステップ４４６では、モータ５２の駆動制御を行う。すなわち、モータ５２が回転すると、第２の人感センサユニット３０６を支持する回転軸３０６Ａが回転され、第２の人感センサ３０の光軸が偏向される。
【０１７２】
ステップ４４６におけるモータ駆動制御で、第２の人感センサ３０の向き（角度）が決まると、ステップ４４８へ移行して検出距離調整地を読み出し、ステップ４４９へ移行する。ステップ４４９では、第２の人感センサ３０の検出距離を調整する。検出距離は、第２の人感センサ３０の受光部３０ＩＮで検出した信号（電圧変換値）と比較するしきい値に用いられる電圧値の種類（例えば、２種類）の内から選択する。なお、しきい値は３以上あってもよい。
【０１７３】
なお、第１の実施の形態では、付加装置として、ＩＣカードリーダー２１７が、第１の取付位置（図１０に示す、画像処理装置１０の左側面）に取り付けた場合における、第２の人感センサ３０の向き（角度）と検出距離の調整について説明した。しかし、第２の人感センサ３０の向き（角度）と検出距離の調整は、他の付加装置、例えば、フィニッシャー装置２１９（図１５参照）であっても、実行可能である。
【０１７４】
（第２の実施の形態）
第２の人感センサ３０の向き（角度）調整と、検出距離の調整を自動調整で行うことを前提として、使用者における画像処理装置１０の周辺の移動に対して追従させるようにする。
【０１７５】
また、付加装置として、図１６に示すように、第１の位置にＩＣカードリーダー２１７と、フィニッシャー装置２１９とが取り付けられている。このような環境で、使用者が、ＩＣカードリーダー２１７で認証を行い、ＵＩタッチパネル２１６で操作指示を行い、フィニッシャー２１９から出力媒体を取り出す行程のジョブを行う場合がある。このようなジョブでは、使用者は、以下のように動作する。
【０１７６】
（動作１）  図１５（Ａ）に示される如く、使用者が、画像処理装置１０の左側面のＩＣカードリーダー２１７に向かって近づく。
【０１７７】
（動作２）  図１５（Ｂ）に示される如く、ＩＣカードリーダー２１７での認証後、ＵＩタッチパネル２１６の正面に立つ。
【０１７８】
（動作３）  図１５（Ｃ）に示される如く、ＵＩタッチパネル２１６での操作指示の後、ジョブ内容の出力媒体（例えば、複写後、パンチ穿孔処理される記録用紙）が排出されるフィニッシャー装置２１９の前へ移動する。
【０１７９】
この場合、第２の人感センサ３０が、例えば、ＩＣカードリーダー２１７の前に立つ使用者を検出可能な向き（角度）及び検出距離で固定されていると、ジョブ途中で、第２の人感センサ３０での使用者検出が途絶えてしまい、最悪はＵＩタッチパネル２１６の表示画面が消えるといった省エネモードに移行する場合がある。
【０１８０】
そこで、第２の実施の形態では、ジョブ内容を認識し、使用者の動きに追従するように、予め第２の人感センサ３０の向き（角度）及び検出距離を調整する。
【０１８１】
図１７は、第２の実施の形態に係る、第２の人感センサ３０の自動追従調整制御ルーチンを示すフローチャートである。
【０１８２】
ステップ４５０では、第１の人感センサ２８で移動体（通過者、使用者が不明の状態）を検出したか否かが判断され、否定判定された場合はこのルーチンは終了する。
【０１８３】
ステップ４５０で肯定判定されると、ステップ４５２へ移行して第２の人感センサ３０を起動させる（電力を供給する）。このとき、第２の人感センサ２８は、基本位置である、ＩＣカードリーダー２１７の正面を検出領域とするように向き（角度）と検出距離が設定されている。
【０１８４】
次のステップ４５４では、第２の人感センサ２８で使用者を検出したか否かが判断され、否定判定されると、ステップ４５６へ移行する。ステップ４５６では、第１の人感センサ２８で移動体を検出中か否かが判断され、否定判定された場合は、ステップ４８０へ移行する。ステップ４８０以降については後述する。
【０１８５】
また、ステップ４５６で肯定判定された場合は、ステップ４５４へ戻り、上記工程を繰り返す。
【０１８６】
ステップ４５４で肯定判定、すなわち、ＩＣカードリーダー２１７の正面で使用者を検出したと判断されると、ステップ４５８へ移行してＩＣカードリーダー２１７による認証処理が完了したか否かが判断される。このステップ４５８で否定判定されると、ステップ４５４へ戻る。また、ステップ４５８で肯定判定されると、ステップ４６０へ移行して第２の人感センサ３０で使用者を検出しなくなったか否かが判断される。このステップ４６０で否定判定している間は、使用者は、依然としてＩＣカードリーダー２１７の正面に立っていると判断し、待機状態となる。また、ステップ４６０で肯定判定されると、使用者がＵＩタッチパネル２１６の前に移動した（認証はしたが、立ち去った可能性もある）と判断し、ステップ４６２へ移行して第２の人感センサ３０の向き、検出距離をＵＩタッチパネル２１６の正面が検出領域となるように調整し、ステップ４６４へ移行する。
【０１８７】
ステップ４６４では、第２の人感センサ３０で使用者を検出したか否かが判断され、否定判定されると、ステップ４６６へ移行する。ステップ４６６では、第１の人感センサ２８で移動体を検出中か否かが判断され、否定判定された場合は、ステップ４８０へ移行する。ステップ４８０以降については後述する。
【０１８８】
また、ステップ４６６で肯定判定された場合は、ステップ４６４へ戻り、上記工程を繰り返す。
【０１８９】
ステップ４６４で肯定判定、すなわち、ＵＩタッチパネル２１６の正面で使用者を検出したと判断されると、ステップ４６８へ移行して、ＵＩタッチパネル２１６によるジョブの操作指示があったか否かが判断される。
【０１９０】
このステップ４６８で否定判定された場合は、ステップ４６４へ戻る。また、ステップ４６８で肯定判定されると、ステップ４７０へ移行してジョブ内容が後処理を含む（フィニッシャー２１９を使用する）か否かが判断される。このステップ４７０で肯定判定されると、ステップ４７２へ移行して第２の人感センサ３０で使用者を検出しなくなったか否かが判断される。このステップ４７２で否定判定している間は、使用者は、依然としてＵＩタッチパネル２１６の正面に立っていると判断し、待機状態となる。また、ステップ４７２で肯定判定されると、使用者がフィニッシャー２１９の前に移動した（ジョブ指示はしたが、立ち去った可能性もある）と判断し、ステップ４７４へ移行して第２の人感センサ３０の向き、検出距離をフィニッシャー２１９の正面が検出領域となるように調整し、ステップ４７６へ移行する。なお、前記ステップ４７０で否定判定され場合（ジョブが後処理を含まない場合）は、ステップ４７６へ移行する。
【０１９１】
ステップ４７６では、第２の人感センサ３０で使用者を検出したか否かが判断され、肯定判定された場合は、使用者がフィニシャー２１９の前に立っていると判断し、待機状態となる。また、ステップ４７６で否定判定されると、ステップ４７８へ移行する。ステップ４７８では、第１の人感センサ２８で移動体を検出中か否かが判断され、否定判定された場合は、ステップ４８０へ移行する。
【０１９２】
また、ステップ４７８で肯定判定された場合は、ステップ４７６へ戻り、上記工程を繰り返す。
【０１９３】
ステップ４８０（ステップ４５６及びステップ４６６の否定判定で移行するステップ４８０）では、第２の人感センサ３０の向き、検出距離がＩＣカードリーダー２１７の正面が検出領域となるように調整し(基本位置）、次いでステップ４８２へ移行して第２の人感センサ３０の起動を終了（電力供給を終了）し、このルーチンは終了する。
【符号の説明】
【０１９４】
Ｗ    壁面
１０    画像処理装置
２０    ネットワーク通信回線網
２１    ＰＣ
２２    電話回線網
２４    節電中監視制御部
２６    節電制御ボタン
２８    第１の人感センサ
３０    第２の人感センサ
３０Ａ    検出部
３０Ｂ    回路基板部
３０ＩＮ    受光部
３０ＯＵＴ    投光部
５０    遮光カバー
５２    モータ
１００    調整制御受付部
１０２    取付位置情報取得部
１０４    調整指示情報取得部
１０６    調整指示情報取得部
１０８    検出距離決定部
１１０    調整量・調整方向演算部
１１２    現調整位置情報記憶部
１１４    駆動制御部
１１６    調整位置情報更新部
１１８    検出距離調整部
１２０    調整完了情報出力部
１２２    検出信号取得部
１２４    検出結果判定部
１２６    判定結果出力部
２００    メインコントローラ
２０４    ＣＰＵ
２０６    ＲＡＭ
２０８    ＲＯＭ
２１０    Ｉ／Ｏ（入出力部）
２１２    バス
２１４    ＵＩ制御回路
２１６    ＵＩタッチパネル
２１６ＢＬ    バックライト部
２１６Ａ    手動調整画面
２１６Ｂ    向き（角度）設定画面
２１６Ｃ    検出距離設定画面
２１６Ｄ    円形画像
２１６Ｅ    ボーダーライン画像
２１６Ｆ    矢印画像
２１６Ｇ    メッセージ表示部
２１６Ｈ    円弧帯画像
２１６Ｉ    メッセージ表示部
２１６Ｊ    数値表示画面
２１６Ｋ    完了ボタン
２１７    ＩＣカードリーダー
２１８    ハードディスク
２１９    フィニッシャー
２２０    タイマ回路
２２２    通信回線Ｉ／Ｆ
２３６    ファクシミリ通信制御回路
２３８    画像読取部
２４０    画像形成部
２４２    商用電源
２４３    配線プレート
２４４    入力電源線
２４５    コンセント
２４６    メインスイッチ
２４８    第１の電源部
２５０    第２の電源部
２４８Ａ    制御用電源生成部
２５２    電源供給制御回路
２５４    電源線
２５６    第１のサブ電源スイッチ（「ＳＷ−１」）
２５０Ｈ    ２４Ｖ電源部（ＬＶＰＳ２）
２５０Ｌ    ５Ｖ電源部（ＬＶＰＳ１）
２５８    画像読取部電源供給部
２６０    画像形成部電源供給部
２６６    ファクシミリ通信制御回路電源供給部
２６８    第２のサブ電源スイッチ（「ＳＷ−２」）
２７０    第３のサブ電源スイッチ（「ＳＷ−３」）
２７４    第４のサブ電源スイッチ（「ＳＷ−４」）
２７６    第５のサブ電源スイッチ（「ＳＷ−５」）
３００    筐体
３０２    ピラー部
３００Ａ    上筐体
３００Ｂ    下筐体
３０４    カバー部材
３１２    隙間部
３０４Ａ    面取り部
３０４Ｂ    貫通孔
３１０    スリット孔
３０６    ベース部材
３０６Ａ    回転軸
【図１】
0005910229.tif 000002
【図２】
0005910229.tif 000003
【図３】
0005910229.tif 000004
【図４】
0005910229.tif 000005
【図５】
0005910229.tif 000006
【図７】
0005910229.tif 000007
【図８】
0005910229.tif 000008
【図９】
0005910229.tif 000009
【図１０】
0005910229.tif 000010
【図１３】
0005910229.tif 000011
【図１４】
0005910229.tif 000012
【図１５】
0005910229.tif 000013
【図１６】
0005910229.tif 000014
【図１７】
0005910229.tif 000015
【図６】
0005910229.tif 000016
【図１１】
0005910229.tif 000017
【図１２】
0005910229.tif 000018